(57)【特許請求の範囲】
【請求項１】
ワーク(9)を包囲可能な円形孔(11e)が形成された取付具(11)と、
前記円形孔(11e)の内周から中央に向かって突出して設けられ突出端に前記ワーク(9)の一側面が係止する係止爪(13)が形成された複数の支持片(12)と、
複数の前記支持片(12)に長手方向に移動可能にそれぞれ設けられ前記係止爪(13)に一方の側面が係止された前記ワーク(9)の他方の側面を先端が係止可能な複数の係止片(21)と、
前記取付具(11)に前記円形孔(11e)と同軸に回転可能に設けられ複数の前記係止片(21)の基端が係合するリング状カム(23)と
を備えた巻線装置用ワーク支持具。
【請求項２】
複数の支持片(12)の内の一の支持片(12)に押圧部材(16)が長手方向に移動可能に設けられ、
前記一の支持片(12)を除く他の支持片(12)に前記他の支持片(12)の係止爪(13)に一方の側面が係止されたワーク(9)の外面に当接する当接部材(14)が設けられ、
前記押圧部材(16)を前記一の支持片(12)の突出端側に移動させて前記一の支持片(12)の係止爪(13)に一方の側面が係止された前記ワーク(9)の外面に前記押圧部材(16)の先端を押しつけるように付勢する付勢手段(17,18)を更に備え、
前記付勢手段(17,18)の付勢力に抗して前記押圧部材(16)を前記一の支持片(12)の基端側に移動させる移動操作部(33)がリング状カム(23)に設けられた
請求項１記載の巻線装置用ワーク支持具。
【請求項３】
付勢手段が、取付具(11)に周方向に延びて揺動可能に枢支され一端(17a)が押圧部材(16)の基端縁に当接する揺動片(17)と、前記揺動片(17)の一端(17a)を一の支持片(12)の突出端側に移動させる様に前記揺動片(17)を揺動させるバネ(18)から成り、
移動操作部(33)がリング状カム(23)の回転により前記揺動片(17)の他端(17b)に接触し前記バネ(18)の付勢力に抗して前記揺動片(17)の他端(17b)を前記取付具(11)の中央側に向かって移動させる傾斜面(33a)を備える
請求項２記載の巻線装置用ワーク支持具。
【請求項４】
取付具(11)が固定板(8)に嵌装可能に円環状を成して形成され、
前記固定板(8)に嵌装された前記取付具(11)を周方向に回転させるアクチュエータ(7)が設けられた請求項１ないし３いずれか１項に記載の巻線装置用ワーク支持具。
【発明の詳細な説明】
【技術分野】
【０００１】
本発明は、巻線装置などに設けられて、トロイダルコアのようなワークを支持するワーク支持具に関する。更に詳しくは、比較的太いワイヤが巻回されるワークを支持するのに適した巻線装置用ワーク支持具に関するものである。
【背景技術】
【０００２】
従来、例えばトロイダルコアのようなワークに巻線を施す巻線装置として、ワークを保持する保持手段と、ワークに形成された孔に挿通させたワイヤをワークの周囲近傍に通過させて孔の入口側に戻すことを繰り返してワークにワイヤを巻回するワイヤ巻回手段を備えたもの（例えば、特許文献１参照。）が知られている。
【０００３】
この巻線装置は、比較的細いワイヤを巻線するものとして提案されており、この巻線装置に設けられる保持手段は、ワークの一カ所を挟むように支持するものとして提案されている。そして、この巻線装置では、巻線においてワイヤに生じる張力を検出する張力検出機構を設け、その張力検出機構が検出する張力をフィードバックさせて、ワイヤの断線等を防止するとしている。
【先行技術文献】
【特許文献】
【０００４】
【特許文献１】特開昭６１−２８５７０６号
【発明の概要】
【発明が解決しようとする課題】
【０００５】
しかし、上記従来の巻線装置においては、ワイヤ巻回手段により案内されるワイヤが比較的細いものであるので、そのワイヤの巻線時にワイヤを介してワークに加わる荷重は高いものにならず、保持手段がワークの一カ所を挟むようなものであっても、そのワークが巻線時に保持手段からずれたり外れたりするようなことは無い。
【０００６】
一方、近年では、比較的太いワイヤをトロイダルコアのような中央孔を有するコアに巻線することも要求され始めており、このような比較的太いワイヤの巻線にあっては、そのワイヤの巻線時にワークに加わる荷重も大きなものとなる。このため、ワークの一部を保持するような従来の保持手段では、巻線時にそのワークに加わる比較的大きな荷重により、そのワークが保持手段からずれたり外れたりするようなことが考えられる。
【０００７】
そして、巻線時にワークが保持手段からずれたり外れたりすると、そのワークにワイヤを所望の位置に巻回することが困難となる不具合を生じさせる。
【０００８】
本発明の目的は、巻回するワイヤが比較的太い場合であっても、ワークのズレや外れを防止しうる巻線装置用ワーク支持具を提供することにある。
【課題を解決するための手段】
【０００９】
本発明は、ワークを包囲可能な円形孔が形成された取付具と、取付具の内周から中央に向かって突出して設けられ突出端にワークの一側面が係止する係止爪が形成された複数の支持片と、複数の支持片に長手方向に移動可能にそれぞれ設けられ係止爪に一方の側面が係止されたワークの他方の側面を先端が係止可能な複数の係止片と、取付具に円形孔と同軸に回転可能に設けられ複数の係止片の基端が係合するリング状カムとを備えた巻線装置用ワーク支持具である。
【００１０】
この巻線装置用ワーク支持具では、複数の支持片の内の一の支持片に押圧部材が長手方向に移動可能に設けられ、一の支持片を除く他の支持片に他の支持片の係止爪に一方の側面が係止されたワークの外面に当接する当接部材が設けられ、押圧部材を一の支持片の突出端側に移動させて一の支持片の係止爪に一方の側面が係止されたワークの外面に押圧部材の先端を押しつけるように付勢する付勢手段を更に備え、付勢手段の付勢力に抗して押圧部材を一の支持片の基端側に移動させる移動操作部がリング状カムに設けられたことが好ましい。
【００１１】
この場合、付勢手段が、取付具に周方向に延びて揺動可能に枢支され一端が押圧部材の基端縁に当接する揺動片と、揺動片の一端を一の支持片の突出端側に移動させる様に揺動片を揺動させるバネから成り、移動操作部がリング状カムの回転により揺動片の他端に接触しバネの付勢力に抗して揺動片の他端を取付具の中央側に向かって移動させる傾斜面を備えることが好ましい。
【００１２】
そして、取付具が巻線装置における固定板に嵌装可能に円環状を成して形成された場合、その固定板に嵌装された円環状取付具を周方向に回転させるアクチュエータを更に設けることが好ましい。
【発明の効果】
【００１４】
本発明の巻線装置用ワーク支持具では、取付具の内周から中央に向かって突出して設けられた複数の支持片によりワークを周囲から係止するので、ワークの一部を保持するような従来の保持手段に比較して、ワークのずれや外れを防止することができる。
【００１５】
支持片に押圧部材や当接部材を設け、それらをワークの外周に周囲から接触させるようにすれば、複数の支持片によるワークの係止がより強固と成り、それらが支持するワークの巻線時にそのワークに比較的大きな荷重が加わることになっても、そのワークが支持片からずれたり外れたりするようなことを確実に防止することができる。
【００１６】
ここで、ワークを係止させるか否かは、支持片にそれぞれ設けられた係止片を移動させることにより行うことになるけれども、この係止片の移動は、リング状カムを回転させることにより容易に行うことが可能となる。
【００１７】
また、ワークと取付具における円形孔の内周との間には、支持片の長さに相当する作業空間が形成されるので、その作業空間を利用してワイヤをワークに巻線することが可能となり、ワークの複数の箇所を周囲から支持しても、そのワークにおける巻線に支障を生じさせることは無い。
【００１８】
そして、取付具が固定板に嵌装可能な円環状を成す場合、円環状取付具を周方向に回転させるアクチュエータを設けると、ワイヤがワークに一回巻回される毎に、そのワークを周方向に回転させることが可能となり、そのワークにワイヤを螺旋状に巻回することが容易となる。
【図面の簡単な説明】
【００１９】
【図１】本発明実施形態の巻線装置用ワーク支持具を示す図５のＡ−Ａ線断面図である。
【図２】その複数の係止片が互いに離間した状態を示す図１に対応する断面図である。
【図３】図１のＢ−Ｂ線断面図である。
【図４】その押圧部材がワークから離間した状態を示す図３に対応する断面図である。
【図５】そのワーク支持具を示す平面図である。
【図６】そのリング状カムが回転して複数の係止片が互いに離間した状態を示す図５に対応する平面図である。
【図７】図６のＣ−Ｃ線断面図である。
【図８】その取付具が固定板に嵌装された状態を示す図である。
【発明を実施するための形態】
【００２０】
次に、本発明を実施するための最良の形態を図面に基づいて説明する。
【００２１】
本発明の巻線装置用ワーク支持具１０は、巻線装置に用いられるものであって、ワーク９を包囲可能な円形孔１１ｅが形成された取付具１１と、その円形孔１１ｅの内周から中央に向かって突出して設けられた複数の支持片１２とを備える。
【００２２】
図８に示すように、この実施の形態における取付具１１は、巻線装置に設けられた固定板８に嵌装可能に円環状を成して形成される場合を示す。図８に示す固定板８にはその中央に丸孔８ａが形成され、円形孔１１ｅの中心を中心とする円環状を成して形成された円環状取付具１１は、その丸孔８ａに回転可能に嵌装されるものとする。
【００２３】
この実施の形態におけるワーク９は、円形を成して中央に中央孔９ａが形成されたいわゆるドーナツ状のトロイダルコア９であって、その周方向に１２０度毎に周方向の巻幅を制限する鍔９ｂが３カ所形成されたものを例示する。
【００２４】
よって、この実施の形態におけるワーク支持具１０は、それら３個の鍔９ｂを支持すべく、円環状取付具１１における円形孔１１ｅの内周から、その周方向に１２０度毎に中央に向かって３個の支持片１２が突出して設けられるものとする。
【００２５】
図１及び図５に示すように、円環状取付具１１は、ワークであるトロイダルコア９の厚さより厚い厚さのリング状物であって、その片面の外周に、固定板８に嵌装するためのフランジ１１ａがその全周に形成される（図１）。
【００２６】
図５に示すように、この円環状取付具１１の内周から中央に向かって設けられる支持片１２は、円環状取付具１１の内周から中央に向かうに従って周方向における幅が狭まる台形状を成し、図１及び図７に示すように、円環状取付具１１の軸方向のフランジ１１ａ側に開放された凹溝１２ａがその長手方向の全部に形成される。
【００２７】
これら複数のワーク支持具１０の突出端には、係止爪１３がそれぞれ設けられる。この係止爪１３は、円環状取付具１１の中央にワークであるトロイダルコア９を、その軸心を円環状取付具１１の軸心に一致させて配置した場合に、その鍔９ｂを係止するものである。
【００２８】
即ち、これらの係止爪１３は、トロイダルコア９の厚さ方向の一側面が当接して係止するものであって、この係止爪１３には、トロイダルコア９における鍔９ｂの、トロイダルコア９の厚さ方向の一方の角部を収容する凹部１３ａが形成される。よって、この凹部１３ａにトロイダルコア９における鍔９ｂの角部が収容されることにより、この係止爪１３は、トロイダルコア９の周方向の回転を不能にするように構成される。
【００２９】
そして、３個の支持片１２の内の２個の支持片１２には、それらの係止爪１３に一方の側面が係止されたトロイダルコア９の外面に当接する当接部材１４が設けられる。図では一方の支持片１２に設けられた当接部材１４を図１に代表して示す。図１に示す様に、当接部材１４は、２個の支持片１２における凹溝１２ａにそれぞれ収容され、支持片１２の突出端から突出する当接部材１４が、係止爪１３の凹部１３ａに鍔９ｂの角部が収容されたトロイダルコア９の外周面、図１では鍔９ｂの外面に当接するように、支持片１２にネジ止めされる。
【００３０】
一方、３個の支持片１２の内の残る一の支持片１２には、押圧部材１６が支持片１２の長手方向に移動可能に設けられる。図７に示すように、この押圧部材１６は、一の支持片１２の凹溝１２ａの断面形状に相応する断面外形を有する棒状部材であって、図１及び図３に示す様に、凹溝１２ａにその長手方向に移動可能に凹溝１２ａに収容される。
【００３１】
図１及び図３に示すように、この一の支持片１２が取付けられる円環状取付具１１には、その一の支持片１２が取付けられる部分に押圧部材１６の基端が侵入可能な凹部１１ｂが周方向に延びて形成される。この円環状取付具１１に周方向に延びて形成された凹部１１ｂには、その円環状取付具１１の周方向に延びる揺動片１７が枢支され、その揺動片１７の一端１７ａが凹部１１ｂに臨む押圧部材１６の基端縁に当接するように構成される。
【００３２】
図３に示すように、円環状取付具１１には、揺動片１７の他端１７ｂ側を円環状取付具１１の径方向の外側に付勢するバネ１８が設けられる。この実施の形態では、揺動片１７の他端１７ｂ側に円環状取付具１１の内径側から対向する押さえ片１９が円環状取付具１１に設けられ、その押さえ具と揺動片１７の他端１７ｂ側との間には、コイルバネ１８が圧縮された状態で挿入される。
【００３３】
このコイルバネ１８は、伸長しようとする力により揺動片１７の他端１７ｂ側を円環状取付具１１の径方向の外側に付勢し、押圧部材１６に接触する揺動片１７の一端１７ａをその押圧部材１６と共に円環状取付具１１の中央に向かう様に付勢する。
【００３４】
これにより、このコイルバネ１８は、揺動片１７の一端１７ａを一の支持片１２の突出端側に移動させる様に揺動片１７を揺動させ、その押圧部材１６を一の支持片１２の突出端側に移動させて一の支持片１２の係止爪１３に一方の側面が係止されたトロイダルコア９の外面に押圧部材１６の先端を押しつけるように付勢する付勢手段となるものである。
【００３５】
図１〜図５に示すように、複数の支持片１２には、更に係止片２１が長手方向に移動可能にそれぞれ設けられる。係止片２１は支持片１２における凹溝１２ａに収容可能な棒状物であって、図１に示す様に、当接部材１４が凹溝１２ａに収容された支持片１２では、その当接部材１４に重合するように支持片１２の凹溝１２ａに長手方向に移動可能に収容され、押圧部材１６が凹溝１２ａに収容された支持片１２では、その押圧部材１６に重合するように支持片１２の凹溝１２ａに長手方向、即ち、円環状取付具１１の径方向に移動可能に収容される。
【００３６】
そして、複数の支持片１２には、それらの凹溝１２ａに支持片１２が収容された状態で、その支持片１２の凹溝１２ａからの離脱を防止する蓋板２２が凹溝１２ａを塞ぐように取付けられる。
【００３７】
複数の支持片１２に設けられたそれぞれの係止片２１は、係止爪１３に一方の側面が係止されたトロイダルコア９の他方の側面を係止するものであって、その先端における係止部２１ａに、トロイダルコア９における鍔９ａのトロイダルコア９の厚さ方向の他方の角部を収容する凹部２１ｂが形成され、この凹部２１ｂに鍔９ａの角部が収容されることにより、トロイダルコア９の周方向の回転が不能になるように構成される。
【００３８】
一方、円環状取付具１１には、リング状カム２３が同軸に回転可能に設けられる。この実施の形態におけるリング状カム２３は、円環状取付具１１における円形孔１１ｅと略同一の内径を有する薄板のリング状物である場合を示す。そして、円環状取付具１１のフランジ１１ａが形成された側には、その内周にリング状カム２３の外径より僅かに大きな内径を有し、かつリング状カム２３の厚さより僅かに厚い段部１１ｃが全周に渡って形成され、この段部１１ｃにリング状カム２３が嵌装される。
【００３９】
図１及び図５に示すように、円環状取付具１１には、当接部材１４が凹溝１２ａに収容された支持片１２の、その凹溝１２ａに収容された係止片２１の基端が進入する放射状の溝１１ｄが段部１１ｃに更に形成される。段部１１ｃに嵌装されるリング状カム２３は、係止片２１の基端が進入する溝１１ｄ及び凹部１１ｂを覆うように円環状取付具１１に同軸に回転可能に設けられる。
【００４０】
凹溝１２ａに押圧部材１６が収容された一の支持片１２では、押圧部材１６に重合するようにその凹溝１２ａに係止片２１が収容され、その一の支持片１２が取付けられた円環状取付具１１における凹部１１ｂに係止片２１の基端が進入するように構成される。
【００４１】
そして、段部１１ｃに更に形成された溝１１ｄに進入した係止片２１のリング状カム２３に重合する基端、及び凹部１１ｂに進入した係止片２１のリング状カム２３に重合する基端には、それぞれ接触子となるピン２４が設けられる。そして、段部１１ｃに嵌挿されたリング状カム２３には、そのピン２４に対応してピン２４の直径に略等しい幅を有し、そのピン２４が進入する長孔２３ａ，２３ｂが形成される（図５）。
【００４２】
接触子であるピン２４が進入する長孔は、図１，図３及び図５に示すように、リング状カム２３の周方向に延びて形成され、従節となる係止片２１を円環状取付具１１の中央方向に位置させる第一長孔２３ａと、図２，図４及び図６に示すように、その第一長孔２３ａに連続してリング状カム２３の周方向に対して径方向外側に傾斜して形成され、リング状カム２３が回転して第一長孔２３ａからピン２４が進入すると、従節となる係止片２１を円環状取付具１１の中央から離間する第二位置にまで移動させる第二長孔２３ｂを有する。
【００４３】
そして、図１に示す様に、その第一長孔２３ａにピン２４が挿入された第一位置の係止片２１は、その係止部２１ａに形成された凹部２１ｂにコア９における鍔９ｂの角部が収容されるように構成される。
【００４４】
また、図２及び図６に示すように、リング状カム２３が周方向に回転して、第一長孔２３ａから第二長孔２３ｂにピン２４が進入すると、従節となる係止片２１が円環状取付具１１の中央から離間する方向に移動して第二位置に達し、その第二位置では、その係止部２１ａに形成された凹部２１ｂからコア９における鍔９ｂの角部が離脱するように構成される。
【００４５】
そして、リング状カム２３を包囲する円環状取付具１１には、図５及び図６に示すように、係止片２１を第一位置とする第一位置のリング状カム２３の位置を維持しようと付勢する第一ボールプランジャ２６と、係止片２１を第二位置とする第二位置のリング状カム２３の位置を維持しようと付勢する第二ボールプランジャ２７が設けられる。
【００４６】
また、円環状取付具１１には、同軸に回転可能に設けられたリング状カム２３を覆うリング状蓋板２８が同軸に設けられる。このリング状蓋板２８の外径は、円環状取付具１１のフランジ１１ａの外径に略等しく、その内径は、リング状カム２３の内径に略等しく形成される。そして、このリング状蓋板２８の一部にはリング状カム２３を表出させる切り欠き２８ａが外周から内径方向に向かって形成され、その切り欠き２８ａから表出したリング状カム２３には、そのリング状カム２３を回転させる操作ハンドル２９が取付けられる。
【００４７】
図１〜図４に示すように、押圧部材１６には長手方向に延びる長孔１６ａが形成され、その押圧部材１６が凹溝１２ａに収容された一の支持片１２には、その長孔１６ａに進入するピン３１が立設される。ピン３１より円環状取付具１１の径方向外側における押圧部材１６には、コイルスプリング３２が収容される凹溝１６ｂが長手方向に形成され、その凹溝１６ｂにコイルスプリング３２が圧縮された状態で収容される。このコイルスプリング３２の一端はピン３１に接触し、他端は凹溝１６ｂの端面に接触するように作られる。このため、このコイルスプリング３２は伸長しようとする力により、押圧部材１６を円環状取付具１１の径方向外側に付勢するように構成される。
【００４８】
このコイルスプリング３２の押圧部材１６を径方向外側に付勢する付勢力よりも、揺動片１７の他端１７ｂ側を円環状取付具１１の径方向の外側に付勢するバネ１８の付勢力の方が大きくなるように構成される。このため、コイルスプリング３２の付勢力に抗して、揺動片１７は揺動し、その押圧部材１６を一の支持片１２の突出端側に移動させるように構成される。
【００４９】
一方、その付勢手段であるコイルスプリング３２の付勢力に抗して、押圧部材１６を一の支持片１２の基端側に移動させる移動操作部３３がリング状カム２３に形成される（図３及び図４）。
【００５０】
具体的に、図３及び図４に示すように、揺動片１７の他端１７ｂには接触子となるローラ１７ｃが枢支され、リング状カム２３が図３に示す第一位置でそのローラ１７ｃと離間し、リング状カム２３が図４に示す第二位置でそのローラ１７ｃに接触して揺動片１７の他端側を円環状取付具１１の径方向の内側に移動させるように、移動操作部３３がリング状カム２３に取付けられる。
【００５１】
移動操作部３３には、ローラ１７ｃが接触する傾斜面３３ａが形成され、図３に示す第一位置のリング状カム２３が第二位置に向かって回転すると、その傾斜面３３ａにローラ１７ｃが接触し、更に回転すると、バネ１８の付勢力に抗してローラ１７ｃが設けられた揺動片１７の他端１７ｂ側を円環状取付具１１の径方向の内側に移動させ、リング状カム２３が図４に示す第二位置に達すると、押圧部材１６に接触する揺動片１７の一端１７ａ側を円環状取付具１１の径方向外側に移動させ、コイルスプリング３２の付勢力により、揺動片１７の一端に接触する押圧部材１６を一の支持片１２の基端側に移動させて、トロイダルコア９の外面から押圧部材１６の先端を離間させるように構成される。
【００５２】
図８に示すように、巻線機には固定板８が設けられ、その固定板８の丸孔８ａに円環状取付具１１が嵌装される。図８では、固定板８に嵌装された円環状取付具１１の外周にギヤ８ｂが更に設けられ、ギヤ８ｂに歯合する歯車７ｂが回転軸７ａに取付けられたモータ７が固定板８に設けられる場合を示す。
【００５３】
すると、モータ７が駆動して回転軸７ａを回転させると歯車７ｂが回転することにより円環状取付具１１が回転し、この円環状取付具１１に複数の支持片１２を介して取付けられたワークであるトロイダルコア９を周方向に回転させることが可能に構成される。よって、このモータ７は、固定板８に嵌装された円環状取付具１１を周方向に回転させるアクチュエータを構成するものである。
【００５４】
次に、このような巻線装置用ワーク支持具を用いた本発明のワーク支持方法を説明する。
【００５５】
本発明のワーク支持方法は、円環状取付具１１の内周から中央に向かって突出して設けられた複数の支持片１２の突出端にワーク９を係止させて、ワーク９と円環状取付具１１との間に作業空間を形成することを特徴とする。
【００５６】
図５及び図６に示すように、この実施の形態におけるワーク９は、円形を成すトロイダルコア９であって、その周方向に１２０度毎に周方向の巻幅を制限する鍔９ｂが形成されたものである。そして、上述した巻線装置用ワーク支持具１０は、複数の支持片１２の先端に、ワーク９におけるそれらの鍔９ｂを係止させることによりワーク９を周囲から係止するものである。
【００５７】
この巻線装置用ワーク支持具１０にワーク９を係止させる具体的な手順を説明すると、上記巻線装置用ワーク支持具１０では、複数の支持片１２に複数の係止片２１をその長手方向に移動可能にそれぞれ設けているので、操作ハンドル２９を操作して、図６に示すように、リング状カム２３を第二位置にする。そして、図２，図４及び図６に示すように、それら複数の係止片２１を円環状取付具１１の中央から離間する方向に移動させるとともに、押圧部材１６をも円環状取付具１１の径方向外側に移動させる。
【００５８】
この状態で、円環状取付具１１の中央にワークであるトロイダルコア９を、円環状取付具１１のフランジ１１ａ側から進入させて、トロイダルコア９の鍔９ｂのトロイダルコア９の厚さ方向の一方の角部を支持片１２の突出端に設けられた係止爪１３の凹部１３ａに収容する。これにより、トロイダルコア９の周方向の位置は確定されることになる。
【００５９】
このように、複数の支持片１２を介してワークであるトロイダルコア９を円環状取付具１１の中央に係止させた後には、操作ハンドル２９を再び操作して、図５に示すように、リング状カム２３を第一位置に戻す。すると、図１，図３及び図５に示すように、複数の支持片１２にそれぞれ設けられた係止片２１は円環状取付具１１の中央に向かって移動し、係止片２１の先端における係止部２１ａに形成された凹部２１ｂに、トロイダルコア９における鍔９ｂのトロイダルコア９の厚さ方向の他方の角部を収容させる。
【００６０】
これにより、円環状取付具１１の内周から中央に向かって突出して設けられた複数の支持片１２により、円環状取付具１１の中央にワークであるトロイダルコア９が係止される。即ち、ワークであるトロイダルコア９は、複数の支持片１２により周囲からその複数箇所が係止されることになる。すると、周囲から複数箇所が係止されるワーク９は、その一部を保持するような従来の保持手段に比較して、強固に支持されることに成り、ワークであるトロイダルコア９が支持片１２からずれたり外れたりするようなことを防止することが可能となる。
【００６１】
また、複数の支持片１２を介してワークであるトロイダルコア９を円環状取付具１１の中央に係止させると、複数の支持片１２の一部に設けられた当接部材１４は、係止爪１３に一方の側面が係止されたトロイダルコア９の外面に当接する。そして、図１に示す様に、リング状カム２３を第一位置に戻すと、他の一の支持片１２に設けられた押圧部材１６は円環状取付具１１の径方向内側に移動し、押圧部材１６は一の支持片１２の係止爪１３に一方の側面が係止されたトロイダルコア９の外面にその先端が押しつけられる。
【００６２】
従って、複数の支持片１２を介してワークであるトロイダルコア９を円環状取付具１１の中央に係止させて、リング状カム２３を第一位置に戻すと、支持片１２に設けられた押圧部材１６や当接部材１４がトロイダルコア９の外周に周囲から接触することに成る。すると、複数の支持片１２により係止されたトロイダルコア９が径方向にずれるようなことは防止され、複数の支持片１２により強固に係止されることと成る。この結果、支持されたトロイダルコア９の巻線時にそのトロイダルコア９に比較的大きな荷重が加わったとしても、そのトロイダルコア９が複数の支持片１２からずれたり外れたりするようなことを確実に防止することができるのである。
【００６３】
このようなワーク支持具１０が設けられた巻線機では、円環状取付具１１の中央に保持されたトロイダルコア９の中央孔９ａに挿通させた図示しないワイヤをコア９の周囲近傍に通過させて、中央孔９ａの入口側に戻すことを繰り返してコア９にそのワイヤを巻回することになる。
【００６４】
ここで、図５に示すように、トロイダルコア９はその中心軸を円環状取付具１１の中心軸に一致させた状態で取付けられ、取付けられた状態で、円環状取付具１１の内面とトロイダルコア９の外周面との間には、支持片１２の長さに相当する隙間が作業空間Ｓとして形成されることになる。すると、この作業空間Ｓにワイヤ６を挿通可能となる。
【００６５】
即ち、ワークであるトロイダルコア９と円環状取付具１１との間には、支持片１２の長さに相当する作業空間Ｓが形成されるので、その作業空間Ｓを利用してワイヤ６をトロイダルコア９に巻線することが可能となる。よって、トロイダルコア９の複数の箇所を周囲から支持しても、そのトロイダルコア９における巻線に支障を生じさせることは無く、ワークであるトロイダルコア９がずれたり外れたりすることもないので、そのトロイダルコア９にワイヤ６を所望の位置に巻回することが可能となるのである。
【００６６】
そして、図８に示すように、円環状取付具１１を周方向に回転させるアクチュエータとしてのモータ７を固定板８に設けると、ワイヤ６がワークであるトロイダルコア９に一回巻回される毎に、そのコア９を周方向に回転させることが可能となり、そのワーク支持具１０が支持するワークであるコア９の周方向にワイヤ６を螺旋状に巻回することも可能となる。
【００６７】
なお、上述した実施の形態では、ワークとして、円形を成すトロイダルコア９の１２０度毎に周方向の巻幅を制限する鍔９ｂが形成されたものを例示し、巻線装置用ワーク支持具１０はそれらの鍔９ｂが先端に係止する支持片１２を３カ所設ける場合を説明した。けれども、支持片１２の先端にワーク９を支持可能である限り、ワーク９は鍔９ｂが形成されていないトロイダルコアであっても良く、鍔９ｂが形成されたトロイダルコア９であったとしても、その鍔９ｂは２箇又は４個以上形成されているものであっても良い。
【００６８】
また、上述した実施の形態では、円環状取付具１１の内周から中央に向かって３個の支持片１２が突出して設けられる場合を説明した。けれども、ワーク９を円環状取付具１１の略中央に、その周囲から支持可能である限り、支持片１２の個数は３個に限らず、２個であっても、４個であっても５個以上であっても良い。
【００６９】
更に、上述した実施の形態では、取付具１１が巻線装置に設けられた固定板８に嵌装可能に円環状を成して形成される場合を例示した。けれども、ワーク９を周方向に回転させる必要が無い場合には、取付具１１を円環状にする必要は無く、その取付具を巻線装置に回転不能に取付けるようにしても良い。
【符号の説明】
【００７０】
８  固定板
９  トロイダルコア（ワーク）
１０  巻線装置用ワーク支持具
１１  取付具
１１ｅ  円形孔
１２  支持片
１３  係止爪
１４  当接部材
１６  押圧部材
１７  揺動片（付勢手段）
１７ａ  一端
１７ｂ  他端
１８  バネ（付勢手段）
２１  係止片
２３  リング状カム
３３  移動操作部
３３ａ  傾斜面
Ｓ  作業空間
【図１】
0006639045.tif 000002
【図２】
0006639045.tif 000003
【図３】
0006639045.tif 000004
【図４】
0006639045.tif 000005
【図５】
0006639045.tif 000006
【図６】
0006639045.tif 000007
【図７】
0006639045.tif 000008
【図８】
0006639045.tif 000009